(57)【要約】【課題】  １次側の電圧バランスを崩すことが無く、多様な出力を得ることが出来る変圧器の提供。【解決手段】  １次コイルと、２次コイルと、３次コイル（Ｌ１、Ｌ２、Ｌ３）とを有し、３次コイル（Ｌ１、Ｌ２、Ｌ３）は２次コイルと同数だけ設けられており、３次コイル（Ｌ１、Ｌ２、Ｌ３）に各々３つずつ設けられた端子（ａ１、ｎ１、ｂ１、ａ２、ｎ２、ｂ２、ａ３、ｎ３、ｂ３）を適宜結線することにより複数種類の出力を取り出す様に構成されている。【選択図】図１
2005322764.tif 000002
【特許請求の範囲】
【請求項１】
１次コイルと、２次コイルと、３次コイルとを有し、３次コイルは２次コイルと同数だけ設けられており、３次コイルに各々３つずつ設けられた端子を適宜結線することにより複数種類の出力を取り出す様に構成されていることを特徴とする変圧器。
【請求項２】
３次コイルは３つ設けられており、３次コイルの端子の結線の態様が１０種類存在する様に構成されている請求項１の変圧器。
【発明の詳細な説明】
【技術分野】
【０００１】
本発明は、複数種類の出力を得ることができる変圧器に関する。
【背景技術】
【０００２】
近年、電力需要の増大とともに負荷の多様化が求められ、出力についても、従来に比較して多様化が求められてきている。
しかし、要求される出力の種類毎に専用の変圧器を製造し準備するのでは、コスト高となって電力利用の顧客への負担増となり好ましくない。
【０００３】
このような多種、多様な負荷には、従来の変圧器ではそのような多様化する需要に対処出来ないので、近年の変圧器では、１次コイル、２次コイルに加えて、３次コイルを有して多様な複数の負荷に対応して出力するものが出てきている。
【０００４】
しかしながら、従来の変圧器では、２次コイルと３次コイルとの対応関係までは考慮していない。そのため、３次側の出力如何によっては、１次側の電圧バランスが崩れてしまう場合がある。
【０００５】
このような多種類の出力に入、出電圧のバランスが安定するように対処できる変圧器が求められているが、現状では、未だに提案されていない。
【０００６】
その他の従来技術としては、例えば、変圧器鉄芯の肢が挿通されている１次コイルと同心的に重ねられた円筒状巻線として形成された２次コイルとを含み、特に、溶接用変圧器として抵抗溶接に使用される中間周波高出力変圧器が提案されている（例えば、特許文献１参照）。しかし、係る従来技術は、上述した様な問題点を解決するものではない。
【特許文献１】特表２００１−５１７３６８号公報
【発明の開示】
【発明が解決しようとする課題】
【０００７】
本発明は上述した従来技術の問題点に鑑みて提案されたものであり、１次側の電圧バランスを崩すことが無く、多様な出力を得ることが出来る様な変圧器の提供を目的としている。
【課題を解決するための手段】
【０００８】
本発明の変圧器は、１次コイルと、２次コイルと、３次コイル（Ｌ１、Ｌ２、Ｌ３）とを有し、３次コイル（Ｌ１、Ｌ２、Ｌ３）は２次コイルと同数だけ設けられており、３次コイル（Ｌ１、Ｌ２、Ｌ３）に各々３つずつ設けられた端子（ａ１、ｎ１、ｂ１、ａ２、ｎ２、ｂ２、ａ３、ｎ３、ｂ３）を適宜結線することにより複数種類の出力を取り出す様に構成されていることを特徴としている（請求項１）。
【０００９】
本発明の実施に際して、３次コイルは３つ設けられており、（合計９つの）３次コイルの端子（ａ１、ｎ１、ｂ１、ａ２、ｎ２、ｂ２、ａ３、ｎ３、ｂ３）の結線の態様が１０種類存在する様に構成されているのが好ましい（請求項２）。
【発明の効果】
【００１０】
上述した様な構成を具備する本発明によれば、３次コイルは２次コイルと同数だけ設けられているため（請求項１）、３次側の出力如何によっては、１次側の電圧バランスが崩れてしまうという従来の欠点が無い利点がある。
【００１１】
また、３次コイルの端子を、例えば、図７〜図１７で示す様に結線することにより（請求項２）、複数種類（３次コイルが３つある場合は１０種類）の出力を得ることが出来る。
【００１２】
従って、本発明の変圧器があれば、要求される出力の種類毎に専用の変圧器を製造する必要は無い利点がある。
【発明を実施するための最良の形態】
【００１３】
以下、添付図面を参照して、本発明の実施形態について説明する。
図１は本発明の変圧器の回路構成図であり、図２はタップ接続を示す表図であり、図３は４２０ｖ−２１０ｖ負荷の分担容量を示す線図である。
【００１４】
図１において、電力供給源から送電された３相３線６６００Ｖの電力は、図示しない真空遮断器等を経由して全体を符号Ｔ１で表す変圧器に接続する３線の高圧母線Ｌｈに導かれ、それぞれが高圧端子Ｕ、Ｖ、Ｗに接続されている。
【００１５】
それらの高圧端子Ｕ、Ｖ、Ｗはそれぞれ線１、線２、線３によって高圧の第1の１次コイルＵｎ、第２の1次コイルＶｎ、第３の１次コイルＷｎに連結されている。
線１は、第１の１次コイルＵｎの端子Ｕ１に連結され、線２は、第２の１次コイルＶｎの端子Ｖ１に連結され、線３は、第３の１次コイルＷｎの端子Ｗ１に連結されている。
【００１６】
第１の１次コイルＵｎは、端子Ｕ１と端子Ｖ２との間に接続端子１、２、３、４を設けて形成され、接続端子２と３の間はそれらの接続端子によって連結されるように構成されている。
【００１７】
同様に、第２の１次コイルＶｎは、端子Ｖ１と端子Ｗ２との間に接続端子１、２、３、４を設けて形成され、接続端子２と３の間はそれらの接続端子によって連結されるように構成されている。
【００１８】
さらに同様に、第３の１次コイルＷｎは、端子Ｗ１と端子Ｕ２との間に接続端子１、２、３、４を設けて形成され、接続端子２と３の間はそれらの接続端子によって連結されるように構成されている。
端子Ｖ２は線４によって線２に連結され、端子Ｗ２は線５によって線３に連結され、端子Ｕ２は線６によって線１に連結されている。
【００１９】
図２を参照して、上記第１、第２及び第３の１次コイルＵｎ、Ｖｎ、及びＷｎのそれぞれの数字１、２、３及び４で示す接続端子は例えば端子３と端子２を接続すれば第1次の電圧が６６００Ｖとなり、端子４と端子１を接続すれば第1次の電圧が６０００Ｖとなるよう構成されている。
【００２０】
図１に戻って、第１、第２及び第３の１次コイルＵｎ、Ｖｎ及び、Ｗｎに対して第１、第２及び第３の２次コイルｕｎ、ｖｎ、ｗｎが配置されている。
第１の２次コイルｕｎは、端子ｕ１と端子ｕ３の間に中間抜き出し端子ｕ２を有して形成され、第２の２次コイルｖｎは、端子ｖ１と端子ｖ３の間に中間抜き出し端子ｖ２を有して形成され、第３の２次コイルｗｎは、端子ｗ１と端子ｗ３の間に中間抜き出し端子ｗ２を有して形成されていている。
【００２１】
端子ｕ１は線１１によって、端子ｖ１は線１２によって、端子ｗ１は線１３によって、それぞれが３φ（相）４Ｗ（線）４２０Ｖ（ボルト）の出力端子Ｑ１１に連結されている。
また、端子ｕ２は線１５によって、端子ｖ２は線１６によって、端子ｗ２は線１７によって、それぞれが３φ３Ｗ２１０Ｖの出力端子Ｑ１２に連結されている。
【００２２】
図２における接続端子と電圧（Ｖ）との関係では接続端子ｕ１、ｖ１、ｗ１によって４２０（Ｖ）を出力し、接続端子ｕ２、ｖ２、ｗ２によって２１０（Ｖ）を出力することを表している。
【００２３】
再び図１にもどって、第１、第２及び第３の２次コイルｕｎ、ｖｎ及び、ｗｎに対して第１、第２及び第３の３次コイルＬ１、Ｌ２、Ｌ３が配置されている。
第１の３次コイルＬ１は、端子ａ１と端子ｂ３の間に中間抜き出し端子ｎ１を有して形成され、第２の３次コイルＬ２は、端子ａ２と端子ｂ２の間に中間抜き出し端子ｎ２を有して形成され、第３の２次コイルＬ３は、端子ａ３と端子ｂ３の間に中間抜き出し端子ｎ３を有して形成されていている。
【００２４】
端子ａ１は線２１によって、端子ｎ１は線２２によって、端子ｂ１は線２３によって、それぞれが１φ３Ｗ２１０−１０５Ｖの出力端子Ｑ１４に連結されている。
また、端子ａ２は線２５によって、端子ｎ２は線２６によって、端子ｂ２は線２７によって、それぞれが１φ３Ｗ２１０−１０５Ｖの出力端子Ｑ１５に連結されている。
【００２５】
同様に、端子ａ３は線３１によって、端子ｎ３は線３２によって、端子ｂ３は線３３によって、それぞれが１φ３Ｗ２１０−１０５Ｖの出力端子Ｑ１６に連結されている。
図２における接続端子と電圧（Ｖ）との関係では接続端子ａ、ｎ、ｂによって２１０―１０５（Ｖ）を出力することを表している。
【００２６】
上記のように、変圧器Ｔ１は、６６００Ｖの高圧電力を２次コイル側の出力４２０Ｖ、２１０Ｖ、２１０−１０５Ｖに変性する容量５００ＫＶＡで構成されている。
【００２７】
図３は、負荷を４２０Ｖ負荷と２１０Ｖ負荷を同時にかける場合の負荷分担を示していて、線Ｐでその限界を示している。図３による変圧器Ｔ１の容量が５００ＫＶＡなので、３φ（相）３Ｗ（線）４２０Ｖの出力と３φ３Ｗ２１０Ｖの出力の合計が３５０ＫＶＡとなるので第１、第２及び第３の３次コイルＬ１、Ｌ２、Ｌ３では合計で１５０ＫＶＡの出力が得られることになる。
そして、第１、第２及び第３の３次コイルＬ１、Ｌ２、Ｌ３の出力端子Ｑ１４、Ｑ１５、Ｑ１６の選択、組み合わせによって１０種類の出力を得ることができる。
【００２８】
なお、３相３線４２０Ｖ側の出力と、３相３線２１０Ｖ側の出力とは、３相となって使われるので、１次側（高圧側）のバランスは崩さない
【００２９】
図４は、図１の変圧器Ｔ１を６６００Ｖの受電となるように１次コイルＵｎ、Ｖｎ、Ｗｎの接続端子３と２を接続した回路図である。
【００３０】
図５及び図６は、実施形態に係る本変圧器Ｔ１の外観形状を示している。
正面を示す図５において、変圧器Ｔ１は、上記機能を有する変成装置を内蔵した枠組で形成される箱体４０が地面Ｇ上の基体４１で支持され、上部に上体４２を設けて一体に構成されている。
【００３１】
上体４２に電力供給源の電力会社からの３相６６００Ｖの高圧電流が入力される高圧端子Ｗ、Ｖ、Ｕが設けられ、箱体４０内の１次コイルＷｎ、Ｖｎ、Ｕｎに連結されている。
基体４１に２１０−１０５Ｖ端子である３次コイルＬ１、Ｌ２、Ｌ３の出力端子Ｑ１４、Ｑ１５、Ｑ１６を構成する端子ａ１、ｎ１、ｂ１と端子ａ２、ｎ２、ｂ２と端子ａ３、ｎ３、ｂ３とが取付けられている。
【００３２】
図５の反対側面を示す図６において、上体４２に４２０Ｖの出力端子ｕ１、ｖ１、ｗ１が設けられ、箱体４０内の２次コイルに連結されている。
基体４１に２１０Ｖ端子である端子ｕ２、ｖ２、ｗ２が２次コイルに連結されている。
上記変圧器Ｔ１の諸元は、高さ８２５ｘ幅１０５０ｘ厚さ５８０ｍｍで総重量１７００ｋｇに構成されている。
【００３３】
以下に上記の構成による変圧器Ｔ１において、第１、第２及び第３の３次コイルＬ１、Ｌ２及びＬ３の出力端子ａ１、ｎ１、ｂ１と端子ａ２、ｎ２、ｂ２と端子ａ３、ｎ３、ｂ３の結線の組み合わせによって得られる各種出力を結線図によって説明する。
【００３４】
図７及び図８は、第1、第２及び第３の３次コイルＬ１、Ｌ２、Ｌ３をオープン結線で独立にしたものであって、図７は後記するΔ結線、Ｖ結線及びＹ結線の表現との同一化から３角状に表示している。図７において、第1、第２及び第３の３次コイルＬ１、Ｌ２、Ｌ３はオープン結線なので第１の３次コイルＬ１のａ１とｎ１の間とｂ１とｎ１との間はそれぞれが１０５Ｖであり、ａ１端子とｂ１端子の間は２１０Ｖであり、出力は例えば単相３線の電灯用出力として１φ３Ｗ、５０ＫＶＡとなる。第２及び第３の３次コイルＬ２、Ｌ３も同様であって、出力は同一で３つの出力が得られる。
【００３５】
図８は、第1、第２及び第３の３次コイルＬ１、Ｌ２、Ｌ３を展開して見やすく並列表示したものである。以下の結線においては並列表示は省略する。
【００３６】
図９は第1、第２及び第３の３次コイルＬ１、Ｌ２、Ｌ３をΔ結線で接続したものであって、３次コイルＬ１の端子ａ１とコイルＬ３の端子ｂ３とを結線し、当該結線（ａ１、ｂ３間の結線）に中間点引出しの出力端子Ｍ１を設ける。
３次コイルＬ１の端子ｂ１とコイルＬ２の端子ａ２とを結線し、当該結線（ｂ１、ａ２間の結線）に中間点引出しの出力端子Ｍ２を設ける。
そして、出力端子Ｍ１、コイルＬ１の端子ｎ１、出力端子Ｍ２より、単相３線７５ｋＶＡの出力を得ることが出来る。
【００３７】
ここで、出力端子Ｍ１と端子ｎ１との間の電圧（＝端子ａ１とｎ１間の電圧）は１０５Ｖであり、端子ｎ１と出力端子Ｍ２との間の電圧（＝端子ｎ１とｂ１間の電圧）は１０５Ｖであり、出力端子Ｍ１と出力端子Ｍ２との間の電圧（＝端子ａ１とｂ１間の電圧）は２１０Ｖであって３次コイルの出力は７５ｋＶＡとなる。
また、２次コイルの出力３５０ｋＶＡと合計すると、変圧器全体の容量５００ｋＶＡに対して、４２５ｋＶＡが得られることになる。
【００３８】
図１０では、３次コイルＬ１の端子ａ１、ｎ１、ｂ１から、２１０Ｖ、単相３線５０ｋＶＡの出力が得られる。ここで、隣接する端子ａ１、ｎ１間及びｎ１、ｂ１間の電圧は１０５Ｖ、３次コイルＬ１両端の端子ａ１、ｂ１間の電圧は２１０Ｖであり、この出力は図７、８における３次コイルＬ１、Ｌ２、Ｌ３の各コイルの出力と同じである。
【００３９】
また、Ｖ結線により、３次コイルＬ２の端子ｂ２とコイルＬ３の端子ａ３とを結線し、当該結線（ｂ２、ａ３間の結線）に出力端子Ｍ３を設ける。コイルＬ２の端子ａ２、出力端子Ｍ３、コイルＬ３の端子ｂ３により、３相３線２８ｋＶＡの出力を得ることが出来る。
ここで、端子ａ２、Ｍ３間の電圧は２１０Ｖ、端子Ｍ３、ｂ３間の電圧は２１０Ｖ、端子ｂ３、ａ２の電圧は２１０Ｖである。
【００４０】
上記図１０では、３次コイルＬ１、Ｌ２、Ｌ３の出力の合計は５０ｋＶＡ＋２８ｋＶＡ＝７８ｋＶＡであり、２次コイルの出力３５０ｋＶＡと合計すると、変圧器全体の容量が５００ｋＶＡであるが、出力総合計は４２８ｋＶＡとなる。
【００４１】
図１１は、Δ結線によるもので、３次コイルＬ１の端子ｂ１と３次コイルＬ２の端子ａ２と結線し、出力端子Ｍ４を設け、３次コイルＬ２の端子ｂ２と３次コイルＬ３の端子ａ３と結線し、出力端子Ｍ５を設け、３次コイルＬ３の端子ｂ３と３次コイルＬ１の端子ａ１と結線し、出力端子Ｍ６を設け、出力端子Ｍ４、Ｍ５、Ｍ６から、３相３線１５０ｋＶＡの出力を得る。
【００４２】
ここで、出力端子Ｍ６、Ｍ４間の電圧（３次コイルＬ１両端の電圧、端子ａ１、ｂ１間の電圧、に等しい）は２１０Ｖであり、出力端子Ｍ４、Ｍ５間の電圧（３次コイルＬ２両端の電圧、端子ａ２、ｂ２間の電圧、に等しい）は２１０Ｖであり、出力端子Ｍ５、Ｍ６間の電圧（３次コイルＬ３両端の電圧、端子ａ３、ｂ３間の電圧、に等しい）は２１０Ｖである。
【００４３】
図１２は、Δ結線によるもので、３次コイルＬ１の端子ｂ１と３次コイルＬ２の端子ａ２とを結線し、３次コイルＬ２の端子ｂ２と３次コイルＬ３の端子ａ３とを結線し、３次コイルＬ３の端子ｂ３と３次コイルＬ１の端子ａ１を結線する。
【００４４】
当該結線した状態で、各３次コイルＬ１、Ｌ２、Ｌ３の端子ｎ１、ｎ２、ｎ３から、３相３線７５ｋＶＡの出力を得る。
端子ｎ１、ｎ２の電圧、端子ｎ２、ｎ３間の電圧、端子ｎ３、ｎ１間の電圧は、いずれも１０５Ｖである。
【００４５】
上記図１２では、３次コイルの出力は７５ｋＶＡ、２次コイルの出力３５０ｋＶＡと合計すると、変圧器全体の容量５００ｋＶＡに対して、４２５ｋＶＡとなる。
【００４６】
図１３は、Ｖ結線による１回路で、３次コイルＬ２の端子ｂ２と３次コイルＬ３の端子ａ３と結線し、出力端子Ｍ７を設け、３次コイルＬ２の端子ａ２、出力端子Ｍ７、３次コイルＬ３の端子ｂ３から、３相３線８６．６ｋＶＡの出力を得る。
ここで、３次コイルＬ２の端子ａ２、出力端子Ｍ７間の電圧（コイルＬ２の両端の電圧に等しい）は２１０Ｖであり、出力端子Ｍ７、３次コイルＬ３の端子ｂ３間の電圧（コイルＬ２の両端の電圧に等しい）は２１０Ｖであり、３次コイルＬ３の端子ｂ３、３次コイルＬ２の端子ａ２間の電圧は２１０Ｖである。
【００４７】
上記図１３の場合は、３次コイルの出力は８６．６ｋＶＡ、２次コイルの出力３５０ｋＶＡと合計すると、変圧器全体の容量５００ｋＶＡに対して、４３６．６ｋＶＡとなる。
【００４８】
図１４はＶ結線による１回路で、３次コイルＬ２の端子ｂ２と３次コイルＬ３の端子ａ３とを結線し、出力端子Ｍ８を設け、３次コイルＬ２の端子ｎ２、出力端子Ｍ８、３次コイルＬ３の端子ｎ３から、３相３線４３．３ｋＶＡの出力を得る。
ここで、３次コイルＬ２の端子ｎ２、出力端子Ｍ８間の電圧は、端子ｎ２、ｂ２間の電圧と等しく１０５Ｖであり、出力端子Ｍ８、３次コイルＬ３の端子ｎ３間の電圧は、端子ａ３、ｎ３間の電圧と等しく１０５Ｖであり、３次コイルＬ３の端子ｎ３、３次コイルＬ２の端子ｎ２間の電圧は１０５Ｖである。
【００４９】
上記図１４の場合は、３次コイルの出力は４３．３ｋＶＡ、２次コイルの出力３５０ｋＶＡと合計すると、変圧器全体の容量５００ｋＶＡに対して、３９３．３ｋＶＡとなる。
【００５０】
図１５はＹ結線による１回路で、３次コイルＬ１、Ｌ２、Ｌ３の各々の端子ｂ１、ｂ２ｂ３を結線し、３次コイルＬ１、Ｌ２、Ｌ３の各々の端子ａ１、ａ２、ａ３から、３相３線１５０ｋＶＡの出力が得られる。
ここで、コイルＬ１の端子ａ１とコイルＬ２の端子ａ２との電圧が３６７．３７Ｖであり、コイルＬ２の端子ａ２とコイルＬ３の端子ａ３との間の電圧が３６７．３Ｖであり、コイルＬ３の端子ａ３とコイルＬ１の端子ａ１との電圧が３６３．７Ｖである。
【００５１】
図１６はＹ結線による１回路で、３次コイルＬ１、Ｌ２、Ｌ３の各々の端子ｂ１、ｂ２、ｂ３を、結束点ｂＭで結線する。
３次コイルＬ１、Ｌ２、Ｌ３の各々の端子ａ１、ａ２、ａ３と、結束点ｂＭからの端子Ｍｃ１とから、３相４線１５０ｋＶＡの出力が得られる。
【００５２】
コイルＬ１の端子ａ１とコイルＬ２の端子ａ２との電圧が３６７．３Ｖであり、コイルＬ２の端子ａ２とコイルＬ３の端子ａ３との電圧が３６７．３Ｖであり、コイルＬ３の端子ａ３とコイルＬ１の端子ａ１との電圧が３６７．３Ｖである。
【００５３】
また、端子Ｍｃ１とコイルＬ１の端子ａ１との電圧（コイルＬ１の両端の電圧に等しい）は２１０Ｖであり、端子Ｍｃ１とコイルＬ２の端子ａ２との電圧（コイルＬ２の両端の電圧に等しい）は２１０Ｖであり、端子Ｍｃ１とコイルＬ３の端子ａ３との電圧（コイルＬ３の両端の電圧に等しい）は２１０Ｖである。
３相４線の出力で、例えば、トンネル内の電灯に使用される。
【００５４】
図１７はＹ結線による１回路で、３次コイルＬ１、Ｌ２、Ｌ３の各々の端子ｂ１、ｂ２、ｂ３を、結束点ｂＭで結線する
３次コイルＬ１、Ｌ２、Ｌ３の各々の端子ｎ１、ｎ２、ｎ３と、結束点ｂＭからの端子Ｍｃ２とから、３相４線７５ｋＶＡの出力が得られる。
【００５５】
コイルＬ１の端子ｎ１とコイルＬ２の端子ｎ２との電圧が１８１．８Ｖであり、コイルＬ２の端子ｎ２とコイルＬ３の端子ｎ３との電圧が１８１．８Ｖであり、コイルＬ３の端子ｎ３とコイルＬ１の端子ｎ１との電圧が１８１．８Ｖである。
【００５６】
また、端子Ｍｃ２とコイルＬ１の端子ｎ１との電圧は１０５Ｖであり、端子Ｍｃ１とコイルＬ２の端子ｎ２との電圧は１０５Ｖであり、端子Ｍｃ２とコイルＬ３の端子ｎ３との電圧は１０５Ｖである。
図１７の場合は、３次コイルの出力は７５ｋＶＡ、２次コイルの出力３５０ｋＶＡと合計すると、変圧器全体の容量が５００ｋＶＡであるが、４２５ｋＶＡとなる。
【００５７】
図１８は、上述した図７〜図１７の内容を一覧表にして示している。
この図は右欄から左方に図Ｎｏ．、結線方法、相・電圧で区分して出力を表示している。
なお、図１５で示すＹ結線出力は、３相３線１５０ｋＶＡであるが、電圧が３６７．３Ｖであり、「３相３線で２１０Ｖ」或いは「３相３線で１０５Ｖ」には該当しない。そのため、図１８では、図１５の場合の出力を、「３相４線」の欄に＊を付した出力を記入してある。
【図面の簡単な説明】
【００５８】
【図１】本発明の変圧器の回路構成図。
【図２】図１の端子の接続要領を示す表図。
【図３】図1の４２０Ｖ−２１０Ｖの負荷分担を示す図。
【図４】図１の６６００Ｖ（ボルト）受電における回路図。
【図５】図１の変圧器の外観形状の正面図。
【図６】図５の反対側面（裏側）の図。
【図７】オープン結線による２１０Ｖ、５０ＫＶＡ出力の単相３線ｘ３回路を示す回路図。
【図８】図７の回路を並列に表記した図。
【図９】Δ結線による２１Ｖ、７５ＫＶＡ出力の単相３線ｘ１回路を示す回路図。
【図１０】２１０Ｖ、５０ＫＶＡ出力の単相３線ｘ１回路とＶ結線による２１０Ｖ、２８ＫＶＡ出力の３相３線ｘ１回路を示す回路図。
【図１１】Δ結線による２１０Ｖ、１５０ＫＶＡ出力の３相３線ｘ１回路を示す回路図。
【図１２】Δ結線による１０５Ｖ、７５ＫＶＡ出力の３相３線ｘ１回路を示す回路図。
【図１３】Ｖ結線による２１０Ｖ、８６．６ＫＶＡ出力の３相３線ｘ１回路を示す回路図。
【図１４】Ｖ結線による１０５Ｖ、４３．３ＫＶＡ出力の３相３線ｘ１回路を示す回路図。
【図１５】Ｙ結線による３６７．３Ｖ、１５０ＫＶＡ出力の３相３線ｘ１回路を示す回路図。
【図１６】Ｙ結線による３６７．３Ｖ／２１０Ｖ、１５０ＫＶＡ出力の３相４線ｘ１回路を示す回路図。
【図１７】Ｙ結線による１８１．８Ｖ／１０５Ｖ、７５ＫＶＡ出力の３相４線ｘ１回路を示す回路図。
【図１８】図７から図１７の記載内容を示す一覧表。
【符号の説明】
【００５９】
Ｕ、Ｖ、Ｗ・・・１次端子
Ｕｎ、Ｖｎ、Ｗｎ・・・１次コイル  
ｕ、ｖ、ｗ・・・２次端子
ｕｎ、ｖｎ、ｗｎ・・・２次コイル
Ｌ１、Ｌ２、Ｌ３・・・３次コイル１、２、３
ａ１、ｎ１、ｂ１、ａ２、ｎ２、ｂ２、ａ３、ｎ３、ｂ３・・・３次端子
Ｍ１、Ｍ２、Ｍ３・・・中間端子
【図１】
2005322764.tif 000003
【図２】
2005322764.tif 000004
【図３】
2005322764.tif 000005
【図４】
2005322764.tif 000006
【図５】
2005322764.tif 000007
【図６】
2005322764.tif 000008
【図７】
2005322764.tif 000009
【図８】
2005322764.tif 000010
【図９】
2005322764.tif 000011
【図１０】
2005322764.tif 000012
【図１１】
2005322764.tif 000013
【図１２】
2005322764.tif 000014
【図１３】
2005322764.tif 000015
【図１４】
2005322764.tif 000016
【図１５】
2005322764.tif 000017
【図１６】
2005322764.tif 000018
【図１７】
2005322764.tif 000019
【図１８】
2005322764.tif 000020